(57)【要約】【課題】台座に簡単に取り付けが可能であり、排泄物の重みでも安定して保持し、非使用時にはコンパクトに収納できる排泄物収納袋用受け具を提供する。【解決手段】簡易トイレの台座に載せて使用する排泄物収納袋用受け具であって、該受け具は上部開口部と袋部を有する袋状物であり、該開口部は硬質材料で形成され、一方向にのみ折れる少なくとも二つ折りなどの重ね折り可能に形成された排泄物収納袋用受け具であり、この排泄物収納袋用受け具の、開いた開口部を開口部の折れる方向を下にして簡易トイレの台座に載せて使用すれば、排泄物の入った収納袋をしっかりと保持でき、且つ非使用時はコンパクトに収納できる。【選択図】  図１
0003149084.tif 000002
【実用新案登録請求の範囲】
【請求項１】
簡易トイレの台座に載せて使用する排泄物収納袋用受け具であって、該受け具は上部開口部と袋部を有する袋状物であり、該開口部は硬質材料で形成され、一方向にのみ折れる重ね折り可能に形成されてなることを特徴とする簡易トイレの排泄物収納袋用受け具。
【請求項２】
前記開口部の重ね折りが二つ折りであることを特徴とする請求項１記載の簡易トイレの排泄物収納袋用受け具。
【考案の詳細な説明】
【技術分野】
【０００１】
本考案は、簡易トイレの排泄物収納袋用受け具に関する。さらに詳しくは使用時は簡単安全に使用でき、非使用時は重ねてコンパクトにして収納できる簡易トイレの排泄物収納袋用受け具に関する。
【背景技術】
【０００２】
従来、災害時や介護時において水洗トイレの代わりに簡易トイレが使用されている。この簡易トイレには通常のゴミ袋やその類似品が排泄物収納袋として簡易トイレの台座を被せるようにして取り付けられて使用に供されている。この収納袋は中の排泄物の重みで収納袋がはずれて下に落ちてその底部外側が汚れたり、ひどい場合には収納袋が破れて排泄物がはみ出ることもある。この改善策として伸縮ゴムで形成された開口部を有し、特には紐で台座に結び付けて落下を防止する排泄物収納袋用受け具が提案されている（たとえば、特許文献１）。
【特許文献１】登録実用新案３０１７９３４号
【考案の開示】
【考案が解決しようとする課題】
【０００３】
しかしながら、上記収納袋の受け具の開口部は伸縮ゴムであるので、排泄物の重みでゴムが伸びて台座からはずれたりする場合がある。また、はずれないような伸縮ゴムであればゴム反発性が大きいので、台座に取り付けるのが困難であり、紐で固定するのも面倒であるという問題がある。
本考案は台座に簡単に取り付けが可能であり、排泄物の入った排泄物収納袋を安定して保持し、非使用時にはコンパクトに収納できる排泄物収納袋用受け具を提供することを目的とする。
【課題を解決するための手段】
【０００４】
本考案者は、上記の課題に鑑み、鋭意研究の結果、排泄物収納袋用受け具の開口部を硬質材料で形成し、一方向にのみ曲がる重ね折りをすれば上記課題が解決できることを見出し、本考案を完成するに至った。
以下、各請求項の考案について説明する。
【０００５】
請求項１の考案は、簡易トイレの台座に載せて使用する排泄物収納袋用受け具であって、該受け具は上部開口部を有する袋状物であり、該開口部は硬質材料で形成され、一方向にのみ折れる重ね折り可能に形成されてなることを特徴とする簡易トイレの排泄物収納袋用受け具である。
【０００６】
請求項１の考案によれば、受け具の開口部が硬質材料で形成されているので開口部を台座にそのまま載せることができ、簡単に取り付けが可能である。また、開口部の折れる方向を下にして開いた開口部を台座にのせれば下方には折れないので、収納袋（以下、特に断らない限り収納袋というときは排泄物の入った収納袋をいうものとする）を保持することができる。また、硬質の開口部が重ね折り可能であるので、非使用時にはコンパクトに収納できる。
【０００７】
請求項２の考案は、前記開口部の重ね折りが二つ折りであることを特徴とする請求項１記載の簡易トイレの排泄物収納袋用受け具である。
【０００８】
請求項２の考案によれば、重ね折りが二つ折りであるので、開口部の対面する部分を同じ方向にのみ折れるようにすれば、収納袋を保持することができ、製造が簡単である。
【考案の効果】
【０００９】
本考案の簡易トイレの排泄物収納袋用受け具は、簡易トイレの台座に開いた開口部をそのまま載せることができ、簡単に取り付けが可能である。また、開口部の折れる方向を下にして開いた開口部を台座に載せれば下方には折れないので、収納袋を保持することができる。また、非使用時にはコンパクトに収納できる。
また、前記開口部の重ね折りが二つ折りであると、収納袋を保持することができ、製造が簡単である。
【考案を実施するための最良の形態】
【００１０】
以下、本考案の実施の形態につき、図を用いて説明する。なお、本考案は、以下の実施の形態に限定されるものではない。本考案と同一および均等の範囲内において、以下の実施の形態に対して種々の変更を加えることが可能である。
【００１１】
図１は本考案の簡易トイレの排泄物収納袋用受け具の一形態を示す。図１（ａ）は、受け具２の開口部３を開いた状態の外観斜視図であり、図１（ｂ）は受け具２の開口部３を閉じた状態の外観斜視図である。図２は本考案の簡易トイレの排泄物収納袋用受け具の別の形態を示す。図２（ａ）は、別の形態における受け具２の開口部３を開いた状態の外観斜視図であり、図２（ｂ）は開口部３の曲折部分を拡大した側面図である。
図１（ａ）における矢印は閉じる方向を示し、（ｂ）における矢印は開く方向を示す。受け具２は袋部５と開口部３からなっている。開口部３は袋状物から収納袋を出し入れする開いた部分であり、線状に閉じている。この線状に閉じた周囲は袋部５に結合している（以下、開口部をフレームという場合がある）。開口部３の線状部分は硬質材料で形成されている。簡易トイレ１の台座７の上にフレーム３を載せて収納袋６を保持できればフレーム３の一部のみが硬質材料で形成されていてもよいが、フレーム３の全周囲が硬質材料で形成されているのが安全上好ましい。硬質材料としては、たとえば、３００ｇ〜１Ｋｇの排泄物の入った収納袋６を保持する強度を有していれば限定はないが、たとえば、セラミックなどの無機物、ステンレス鋼、アルミニウム、鉄、銅などの金属、ポリエチレン、ポリプロピレン、ポリ塩化ビニル、ポリアミド樹脂、エポキシ樹脂などのプラスチック、ＭＦＣ（ミクロフィブリル化セルロース），パーティクルボードなどの木材・硬質紙材などが挙げられる。好ましいのは強度、コスト面から金属であり、特に好ましいのは可燃物として焼却が可能な木材・硬質紙材である。
【００１２】
開口部３は一方向にのみ折れる重ね折りが可能である。重ね折りは少なくとも二つ折れであり、三つ折れ、四つ折れであっても同一方向に折れるものであれば限定はない。好ましくは製造の容易面から二つ折れである。一方向に折れるためには少なくとも開口部３の周囲の対面する２ケ所の曲折部４が同じ方向にのみ折れて反対側には折れないように構造設計がなされていることが必要である。曲折部４を形成する構造は、たとえば傘などに適用されている公知の構造が適用できる。また、図２（ｂ）に示すように厚めのフレームの場合は曲折部分の一方のみを接続すれば、切断されたフレームの断面が合わさることによりそれ以上は動かなくなり一方向（矢印方向）にしか折れないような構造にできる。
【００１３】
開口部３の形状は、受け具２が台座７から落ちないように台座７にのせ収納袋６を保持できれば特に限定はなく、四角形状、五〜八角形状などの多角形状、円形状、楕円状などが挙げられる。多角形状が製造面からも使用面からも都合がよいので好ましい。たとえば、図１（ａ）のフレームは四角形状であるが、図２（ａ）のフレームは八角形状である。簡易トイレの台座７が円形状であれば同じ大きさの円形状、または図２の八角形状などが安定して台座に載るので好ましい。開口部３の大きさも台座７に載せて収納袋６を保持できれば特に限定はなく、好ましくは台座７の大きさに近いものである。たとえば、台座７の大きさにもよるが、たとえば１０〜４０ｃｍ×２０〜５０ｃｍの矩形状のものが挙げられる。
【００１４】
開口部３の線状部分の断面も台座７に載せて収納袋６を保持できれば特に限定はなく、たとえば、円形状、平板状、矩形状などがあげられる。製造の容易さから円形状が、使用面から平板状が好ましい。断面の大きさも特に限定はないが、使用面、コスト面から決定される。開口部３の線状部分をやや厚めにしておくと、図２（ｂ）に示すようにフレーム３の曲折部分４の上下の一方のみを接続すれば一方向にのみ折れる構造を形成できる（矢印は折れる方向を示す）。切断面９が合わさったときに合体できるような面、たとえば平面状（図２（ｂ））であるのが好ましい。上記の上下の一方のみを接続する方法は限定されないが、たとえば片面のみにテープ１０を貼ることによっても容易に接続できる。また、開口部３の硬質材料は布などの柔らかいもので覆って使用するのが使用することができる。
【００１５】
袋部５は、収納袋６を保持できる乾燥時の強度、湿潤強度を有すれば限定はなく、シートやネットなどで構成される。好ましくはネットである。ネットであれば、無駄な材料を使わず省資源化になる。シートはたとえば、編布、織布、不織布などの布やプラスチックフィルム、紙などが挙げられる。袋部５の材質は特に限定はないが、たとえば、綿、羊毛、絹、セルロース、パルプ等の天然繊維、紙、ポリエステル、ナイロン、アクリル、ポリエチレン、ポリプロピレン、ポリウレタン、ポリスチレン、ポバール等及びその変性物などの合成樹脂又は繊維、レーヨン、アセテートなどの半合成繊維など及びこれらの混合素材が挙げられる。ネットはその網目の間隔、形状もたとえば３００ｇ〜１Ｋｇの排泄物の入った収納袋６を保持できる強度を有すれば特に限定はない。
【００１６】
袋部５の大きさは、収納袋６を収容できればよい。受け具２の底は、排泄物とゲル化剤が効率よく混ざるように大きな空間が存在するのが好ましく、たとえば、平面状かなだらかな彎曲状が挙げられる。また、底がＶ字形状であると収容された収納袋６の底がぐちゃぐちゃになり小さい空間が多数存在することになるので、排泄物とゲル化剤が効率よくまざらず取り扱いが面倒になる。また、受け具２の底は下につかずにしっかりと保持されているのがよい。袋部５の深さは、たとえば、１０〜６０ｃｍであるが、使用に応じて決められる。
【００１７】
袋部５と、開口部３の線状部分の周囲の結合は全周囲でなくても一部であっても収納袋６を保持できればよい。また、袋部５と開口部３の結合は収納袋６を保持できる強度を有すれば限定はなく、たとえば、袋部５を線状の硬質材料に巻き付け縫製を行ったり、図２（ｂ）で示されるような二枚で積層されるフレームの間に挟んで固定してもよい。また、公知の接着剤バインダーなどのバインダーや溶着で結合してもよい。
また、フレームの台座に接する側の少なくとも一部分に両面テープを貼ったフレームであれば、使用中フレームは動くことがなくさらに安定性が良好となる。フレームの折れる方向を下にして台座に置くと安定性が良いので好ましい。
【００１８】
次に、本考案の緊急時用汚物受け具２を簡易トイレ１に取り付ける際の手順を、図３に基づいて簡単に説明する。災害などにより断水状態になれば、コンパクトに折り畳んである本考案の簡易トイレ１の排泄物収納袋用受け具２を取り出し、簡易トイレ１に形成される溝部８の内部に、フレーム３の折れる方向を下にして袋部５を下に押し込み、受け具２が下に落ちず先端が下に接触することがないことを確認する。その中に収納袋６を収容して収納袋６の上部を台座７の周囲を被せるようにして置く。その後使用される。
【００１９】
排泄物収納袋は、本考案の排泄物収納袋用受け具によって、その落下が防止されるため、安心して用便を行うことができる。なお、簡易トイレは市販のものが使用できる。排泄物収納袋についても、市販のもの、たとえば、生ゴミの収納で使用するビニール袋など、耐水性を有するものであれば、日常生活において日頃使用しているもので十分対応できる。このようにして、用便が終了したら、たとえば、ゲル化剤を入れて排泄物を固め、収納袋の口を閉じて所定の場所において処理する。本考案の排泄物収納袋用受け具は通常繰り返し使用することができるが、この受け具が可燃物として焼却できる材料で構成されていれば、排泄物収納袋といっしょに焼却することができる。
【図面の簡単な説明】
【００２０】
【図１】(ａ)本考案の実施の一形態の排泄物収納袋用受け具の開いた状態の外観斜視図である。（ｂ）本考案の実施の一形態の排泄物収納袋用受け具の閉じた状態の外観斜視図である。
【図２】(ａ)本考案の別の実施の一形態の排泄物収納袋用受け具の開いた状態の外観斜視図である。（ｂ）本考案別野の実施の一形態における、フレームの曲折部分を拡大した側面図である。
【図３】本考案の実施の一形態の排泄物収納袋用受け具を簡易トイレに設置する順番を示した図である。
【符号の説明】
【００２１】
１  簡易トイレ
２  受け具
３  開口部（フレーム）
４  曲折部
５  袋部
６  排泄物収納袋
７  台座
８  溝部
９  切断面
１０  テープ
【図１】
0003149084.tif 000003
【図２】
0003149084.tif 000004
【図３】
0003149084.tif 000005